(57)【要約】【課題】  鉄心に対する均等な通風冷却を可能とした回転電機を提供する。【解決手段】  回転子１４及び固定子１７の軸方向の複数箇所に、半径方向に沿って通風ダクト１５，１８が形成されている。外被部材１２内において、回転軸１１の外周部分から通風ダクト１５，１８を通り、冷却器により冷却された空気を回転軸１１の両端側から、ファン２３により回転軸１１の外周部分に送風する。複数のリブ１３ａにより複数に区分された回転軸１１の外周空間１３ｂにそれぞれ仕切り板２５を設け、ファン２３により送風される空気を通風ダクト１５，１８へガイドする。複数の外周空間１３ｂにそれぞれ設けられた仕切り板２５は、軸方向に沿う互いに異なる位置に配置されている。【選択図】図４
2016220395.tif 000002
【特許請求の範囲】
【請求項１】
回転軸の外周に、放射状に延びる複数のリブを介して支持された円筒状の回転子と、
この回転子の外周に、その外周面と間隔を保って配置された内周を有する固定子と、
前記回転子及び固定子の軸方向の複数箇所に、それぞれ半径方向に沿って形成された通風ダクトと、
前記回転子、固定子及びこれらを冷却するための冷却器を収容する外被部材と、
この外被部材内において、前記回転軸の外周部分から前記回転子及び固定子の通風ダクトを通り、前記冷却器により冷却された空気を前記回転軸の両端側から、前記外周部分に送風するファンと、
前記複数のリブにより複数に区分された前記回転軸の外周空間にそれぞれ設けられ前記ファンにより送風される空気を前記回転子及び固定子の通風ダクトへ向けてガイドする仕切り板とを備え、
前記複数に区分された前記回転軸の外周空間にそれぞれ設けられた仕切り板は、前記回転軸の軸方向に沿う互いに異なるように配置されている
ことを特徴とする回転電機。
【請求項２】
前記複数に区分された前記回転軸の外周空間にそれぞれ設けられた仕切り板の、前記回転軸の軸方向に沿う互いに異なる位置とは、前記外周空間の一端近くの位置及び他端近くの位置を含むことを特徴とする請求項１に記載の回転電機。
【発明の詳細な説明】
【技術分野】
【０００１】
本発明の実施形態は、通風冷却構造を改良した回転電機に関する。
【背景技術】
【０００２】
回転電機は、運転時に回転子鉄心や固定子鉄心に取り付けられたコイルから発熱する。この発熱による温度上昇を抑えるために、鉄心に、その半径方向に形成された複数の通風ダクトを設け、ファンの回転によって生じた冷却風をこの通風ダクト流すように構成している。ファンは回転軸と共に回転して、本体枠内の空気を循環させる機能を有している。
【０００３】
すなわち、回転軸と回転子との間に軸方向に沿って通風路を形成し、冷却用の熱交換器出口から出た冷却空気を、ファンの回転によって、鉄心の軸方向両側から軸方向中央に向かうように、上述した通風路を通して流す。この空気は、通風路から、回転子及び固定子の鉄心の半径方向に形成された通風ダクトを通ってこれらの鉄心を冷却し、最後に熱交換器入口へと戻ることとなる。
【０００４】
冷却風により鉄心を冷却するときに、回転子及び固定子の鉄心の部位によって冷却度合いが異なり、鉄心温度のアンバランスが生じることがある。前述した通風ダクトは、冷却空気を鉄心の半径方向に流す流路であって、軸方向の複数個所にあけられた間隔内にダクトピースを設置することで鉄心の半径方向に形成される。この場合、軸方向の複数個所に形成されたダクトは、その位置により通る冷却空気の量は均一ではないことが多い。このため、鉄心の温度に軸方向の不均一が生じてしまう。
【０００５】
このような、鉄心の温度のアンバランスを低下させて、冷却効果を高める方法として、回転軸の軸方向中央部に風仕切板を設けることが知られている（例えば、特許文献１参照）。この構造は、回転軸と回転子鉄心の内周との間に介在するリブの両サイドから吸気された冷却風を、軸方向の中央に設けた風仕切板により左右ほぼ均等な量を回転子及び固定子の鉄心に形成された複数の通風ダクトに流し、回転電機全体を冷却する。
【先行技術文献】
【特許文献】
【０００６】
【特許文献１】特開平５−１３０７５３号公報
【発明の概要】
【発明が解決しようとする課題】
【０００７】
ここで、前述した冷却用の熱交換器（以下、単に冷却器と呼ぶ）は、複数の冷却パイプを有し、回転電機本体のフレーム（外被部材）内に設けられる。複数の冷却パイプ内には、外部から冷却気を送り、これら冷却パイプの外面にフレーム内を循環する空気を接触させて冷却する。この場合、冷却パイプ内を流れる冷却気は、フレーム内を循環する空気を冷却する際、フレーム内循環空気との熱交換により徐々に加温される。このため、冷却パイプの上流側と下流側とでは冷却気に温度差が生じ、冷却能力に差が生じる。
【０００８】
このため、軸方向中央部に設けた風仕切板により、回転子及び固定子の鉄心に形成された複数の通風ダクトに、左右ほぼ均等な量の空気を流しても、均等な冷却効果が得られないことが生じる。すなわち、冷却器を構成する冷却パイプの上流側で冷却された空気が通風路の一端側から送気され、冷却パイプの下流側で冷却された空気が通風路の他端側から送気されるとする。この場合、軸方向中央部に設けられた風仕切板により左右ほぼ均等な量の空気が回転子及び固定子の鉄心に形成された複数の通風ダクトを通って流れても、流れる空気自体に温度差があるため、均等には冷却されず、鉄心の軸方向の片側が高温になっていた。
【０００９】
本発明は、鉄心に対する均等な通風冷却を可能とした回転電機を提供することにある。
【課題を解決するための手段】
【００１０】
本発明の実施の形態に係る回転電機は、回転軸の外周に、放射状に延びる複数のリブを介して支持された円筒状の回転子と、この回転子の外周に、その外周面と間隔を保って配置された内周を有する固定子と、前記回転子及び固定子の軸方向の複数箇所に、それぞれ半径方向に沿って形成された通風ダクトと、前記回転子、固定子及びこれらを冷却するための冷却器を収容する外被部材と、この外被部材内において、前記回転軸の外周部分から前記回転子及び固定子の通風ダクトを通り、前記冷却器により冷却された空気を前記回転軸の両端側から、前記外周部分に送風するファンと、前記複数のリブにより複数に区分された前記回転軸の外周空間にそれぞれ設けられ前記ファンにより送風される空気を前記回転子及び固定子の通風ダクトへ向けてガイドする仕切り板とを備え、前記複数に区分された前記回転軸の外周空間にそれぞれ設けられた仕切り板は、前記回転軸の軸方向に沿って互いに異なるように配置されていることを特徴とする。
【００１１】
上記構成によれば、通風路となる回転軸の外周空間に設けられた仕切り板の位置を互いに異なる位置としたことにより、固定子の通風ダクトに流れる空気が混合され、均一に通風冷却することができる。
【図面の簡単な説明】
【００１２】
【図１】本発明の一実施形態に係る回転電機の全体構成を示す内部構成図である。
【図２】本発明の一実施形態に回転子部分を拡大して示す正面図である」。
【図３】本発明の一実施形態に用いられる回転軸、リブ、及び仕切り板の関係を示す斜視図である。
【図４】本発明の一実施形態に係る回転電機の要部構成を示す内部構成図である。
【図５】本発明の一実施形態に係る回転電機の要部構成を別の回転角について示す内部構成図である。
【発明を実施するための形態】
【００１３】
以下、本発明の実施の形態について、図面を参照して詳細に説明する。
【００１４】
図1はこの実施の形態に係る回転電機の全体構成を示す内部構成図である。図1において、回転軸１１は、その両端部が、外被部材（以下、フレームと呼ぶ）１２に設けられた軸受（図示省略）により回転自在な状態で貫通保持されており、その一端には図示しない回転機械が連結される。この回転軸１１の外周には、図２で示すように、リブ１３ａが一体的に取り付けられ、このリブ１３ａを介して円筒状の回転子１４が一体的に取り付けられる。
【００１５】
回転子１４は、周知のように環状の鋼板を軸方向に沿って積層し円筒状に形成した鉄心と、軸方向に沿って配設された複数の導体（図示省略）とで構成される。回転子１４の鉄心部分には、その軸方向に沿う複数個所に間隔が設けられ、この間隔内にダクトピース（図示省略）を設けて、回転子１４の半径方向に沿う通風ダクト１５を形成している。
【００１６】
この回転子１４の外周には、同じく円筒状を成す固定子１７が同心状に設けられる。すなわち、固定子１７は、回転子１４の外周面と間隔を保って配置された内周を有する円筒状の鉄心と、この鉄心に施された巻線（図示省略）とで構成される。この固定子１７の鉄心部分にも、その軸方向に沿う複数個所に間隔が設けられ、この間隔内にダクトピース（図示省略）を設けて、固定子１７の半径方向に沿う通風ダクト１８を形成している。
【００１７】
前述したフレーム１２内における固定子１７の上方空間には、熱交換式の冷却器２１が設けられている。この冷却器２１は、図示水平方向に配設された複数の冷却パイプ（図示省略）からなる管群を有する。これら冷却パイプには外部から冷却器が供給され、その外面に接する空気と熱交換してこれを冷却する。
【００１８】
また、前述した回転軸１１の両端付近にはファン２３がそれぞれ設けられている。これらファン２３は、回転軸１１と共に回転し、矢印で示すように、回転軸１１の外周部分から回転子１４の通風ダクト１５及び固定子１７の通風ダクト１８を通り、冷却器２１により冷却された空気を、回転軸１１の両端側から、回転軸１１の軸方向中央に向かって送風する。
【００１９】
ここで、回転軸１１の外周と回転子１４の内周との間には、図２及び図３で示すように、回転軸１１の外周から放射状に延びる複数（図２の例では４個）のリブ１３ａが一体的に取り付けられている。そして、これらリブ１３ａの先端部に、円筒状の回転子１４の内周が固定される。このため、回転子１４の内周と回転軸１１の外周との間には、リブ１３ａにより４分割された空間１３ｂが軸方向に沿って形成され、これら空間１３ｂは、後述するように通風路として機能する。
【００２０】
図２で示したリブ１３ａにより分割された空間１３ｂは、上述した両側のファン２３から送風される空気の通風路となる。以下、通風路１３ｂとして説明する。すなわち、複数のリブ１３ａにより複数に区分された回転軸１１の外周空間はそれぞれ通風路１３ｂとなる。これら通風路１３ｂには、その軸方向を仕切る仕切り板２５をそれぞれ設けている。これら仕切り板２５は、ファン２３により軸方向中央部に向かって送風される空気を、回転子１４の通風ダクト１５及び固定子１７の通風ダクト１８へ向けてガイドする。
【００２１】
ここで、複数に区分された回転軸１１の外周空間、すなわち、複数の通風路１３ｂにそれぞれ設けられた仕切り板２５は、図３で示すように、回転軸１１の軸方向に沿う位置が互いに異なるように配置されている。
【００２２】
上記構成において、回転電機の運転時には、回転子１４や固定子１７の鉄心に取り付けられたコイルから発熱し、これらの鉄心部分は高温となる。回転電機のフレーム１２内では、回転子１４と一体の回転軸１１が回転することにより、この回転軸１１の両端近くにに取り付けられたファン２３も回転し、フレーム１２内の空気を、回転軸１１の外周に形成された複数の通風路１３ｂの軸方向中央部に向かって送風する。
【００２３】
通風路１３ｂ内に送風された空気は、仕切り板２５により回転子１４の通風ダクト１５及び固定子１７の通風ダクト１８へ向けてガイドされ、それらの半径方向に流れて、回転子１４及び固定子１７の鉄心部分を冷却する。これら鉄心部分を冷却して固定子１７の外方へ抜けた高温の空気は、上部空間に位置する冷却器２１に導入され、その冷却パイプとの接触により冷却される。冷却器２１により冷却された空気はフレーム１２の上部内面に沿って左右にガイドされ、前述した両側のファン２３により再び複数の通風路１３ｂ内に送風される。すなわち、フレーム１２内で、図示左右２通りの循環流を生じさせ、回転子１４及び固定子１７の冷却に供される。
【００２４】
ここで、仕切り板２５が、従来のように、或いは図１で示したように、分割された複数の通風路１３ｂの軸方向（図示左右方向）中央部にのみ設けられている場合、軸方向の複数個所に設けられた回転子１４の通風ダクト１５には、仕切り板２５に対して、左右均等な量の空気が流れ、固定子１７の通風ダクト１８にも同様に流れる。
【００２５】
この場合、冷却器２１の冷却パイプの上流側が、例えば、図１の右側であれば、前述した冷却能力の差により、冷却器２１の図示右側の上流側の方が、下流側となる図示左側より冷却される循環流の空気温度が低くなる。このため、軸方向（図示左右方向）の複数個所に設けられた通風ダクト１５，１８に空気が流れても、空気温度自体に差があるため、図示右側の冷却量が多くなり、回転子１４及び固定子１７の図示右側が図示左側より低温となる。
【００２６】
そこで、本発明の実施の形態では、図２で示したように、リブ１３ａによって複数に分割された通風路１３ｂに設けられる仕切り板２５の設置位置を、各通風路１３ｂ毎に互いに異なる位置としたことにより均等な冷却を可能とした。
【００２７】
例えば、ある通風路１３ｂには、図４で示すように図示左側寄りに仕切り板２５を配置し、別の通風路１３ｂには、図５で示すように図示右側寄りに仕切り板２５を配置した。
【００２８】
図４の状態では、図示右側から供給される低温の空気が、軸方向（図示左右方向）の複数個所に設けられた通風ダクト１５のうち、仕切り板２５より図示右側に位置する多数の通風ダクト１５に流れる。また、図示左側から供給される比較的高温の空気は、仕切り板２５より図示左側に位置する少数の通風ダクト１５に流れる。
【００２９】
図５の状態では、図示左側から供給される比較的高温の空気は、仕切り板２５より図示左側に位置する多数の通風ダクト１５に流れ、図示右側から供給される低温の空気が、仕切り板２５より図示右側に位置する少数の通風ダクト１５に流れる。
【００３０】
したがって、円筒状の回転子１４については、周方向に分割された複数の通風路１３ｂと対向する部分ごとに、軸方向に沿う温度分布が交互に異なることになり、円筒状の回転子１４全体としてみた軸方向の温度分布は平準化される。
【００３１】
これに対し、上述した回転子１４の外側に位置する固定子１７については、回転子１４の通風ダクト１５を通過した空気が、通風ダクト１８を通ることになるので、回転子１４の回転により、固定子１７に対しては、図４の状態と図５の状態が順次交互に生じる。このため、図示右側及び左側から供給される空気温度に差があっても、軸方向（図示左右方向）の複数個所に設けられた通風ダクト１８には、これら低温の空気と比較的高温の空気が順次混合されて送気される。すなわち、図示右側及び左側から供給される空気が万遍なく流れることとなる。したがって、固定子１７は、それらの軸方向の全域にわたって、ほぼ均一に冷却され、温度の偏りが生じることはない。
【００３２】
また、各通風路１３ｂから通風ダクト１５，１８に流れる空気量は、図示のように仕切り板２５の両側部分が、他の部分に比べて大きい。前述した固定子１７については、回転子１４の回転により、仕切り板２５の位置が軸方向に順次移動することとなるで、これに伴って空気量の多い部分も順次移動することとなる。したがって風量の偏りが生じることはなく、このことからも均一な冷却が可能となる。
【００３３】
上述の実施の形態では、図２、図３で示すように、回転軸１１の外周から放射状に延びる４個のリブ１３ａにより、回転子１４の内周と回転軸１１の外周との間を周方向に４分割して４個の通風路１３ｂを軸方向に沿って形成したものを例示したが、本発明は、勿論このような形状構成に限定されない。例えば、回転軸１１の外周から放射状に延びる６個のリブ１３ａを有するものを用い、これら６個のリブ１３ａにより、回転子１４の内周と回転軸１１の外周との間を周方向に６分割して６個の通風路１３ｂを軸方向に沿って形成したものでもよい。
【００３４】
また、仕切り板２５の設置位置として図２では、通風路１３ｂごとに、軸方向左右端近くの位置に設置した場合を例示したが、本発明はこのような配置に限定されるものではなく、図１で示した軸方向の中央位置を含む互いに異なる各位置に、通風路１３ｂ別に分散設置してもよい。
【００３５】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３６】
１１…回転軸
１２…外被部材（フレーム）
１３ａ…リブ
１３ｂ…外周空間（通風路）
１４…回転子
１７…固定子
１５，１８…通風ダクト
２１…冷却器
２３…ファン
２５…仕切り板
【図１】
2016220395.tif 000003
【図２】
2016220395.tif 000004
【図３】
2016220395.tif 000005
【図４】
2016220395.tif 000006
【図５】
2016220395.tif 000007